(57)【要約】【課題】曲率半径の異なる不連続の複数の球面が形成された視力矯正用コンタクトレンズの曲率半径を測定する際に、各球面の曲率半径を効率よく測定することができるコンタクトレンズ保持装置を提供する。【解決手段】保持装置４０は、コンタクトレンズを設置するためのコンタクトレンズ支持部１１０と、コンタクトレンズ支持部１１０を左右方向の回転軸を中心に揺動可能に支持する揺動支持部９０と、揺動支持部９０を左右方向にスライド可能に支持する左右方向スライド支持部７０と、左右方向スライド支持部を水平方向における左右方向とは直角の方向である前後方向にスライド可能に支持する前後方向スライド支持部５０と、前後方向スライド支持部５０を固定して支持し、測定装置に上下動可能に設けられた保持装置支持部に取り付けるための取付用部材４６を有するベース部４２と、を有している。【選択図】図３
2013003172.tif 000002
【特許請求の範囲】
【請求項１】
コンタクトレンズの曲率半径を測定する測定装置に用いるコンタクトレンズ保持装置であって、
コンタクトレンズを設置する設置部（１１９）を有するコンタクトレンズ支持部（１１０）と、
コンタクトレンズ支持部を水平方向における１の方向である左右方向の回転軸を中心に揺動可能に支持する揺動支持部（９０）と、
揺動支持部を左右方向にスライド可能に支持する左右方向スライド支持部（７０）と、
左右方向スライド支持部を水平方向における左右方向とは直角の方向である前後方向にスライド可能に支持する前後方向スライド支持部（５０）と、
前後方向スライド支持部を固定して支持するベース部で、測定装置に上下動可能に設けられた保持装置支持部に取り付けるための取付部（４６）を有するベース部（４２）と、
を有することを特徴とするコンタクトレンズ保持装置。
【請求項２】
コンタクトレンズ支持部（１１０）が、コンタクトレンズ設置具（１１８）と、第１支持部本体（１１２）とを有し、コンタクトレンズ設置具（１１８）は、板状の台部（１１８ａ）と、台部から立設した設置具本体部で、その上面に凹状の上記設置部（１１９）が設けられた設置具本体部（１１８ｂ）とを有し、第１支持部本体（１１２）は、コンタクトレンズ設置具を載置する載置面（１１４ａ）を有し、揺動支持部のウォームホイールと同軸の軸部（１０７）により支持され、
揺動支持部（９０）が、前後方向の回転軸を中心に回転可能に設けられたウォーム（１０２）と、ウォームを回転させる第１操作つまみ（１０４）と、ウォームを回転可能に支持するウォーム支持部（１００）と、ウォームに歯合し左右方向の回転軸を中心に回転可能に設けられたウォームホイール（１０６）と、ウォームホイールにウォームホイールと同軸に固定され、第１支持部本体を支持する軸部（１０７）と、該軸部を回転可能に支持するとともに、ウォーム支持部を固定して支持し、左右方向に一対の貫通穴（９４ａ）が設けられた第２支持部本体（９２）と、を有し、
左右方向スライド支持部（７０）が、第２支持部本体に設けられた貫通孔に挿通された第１支持軸（７４）と、第１支持軸の両側の端部を支持し、前後方向に一対の貫通穴（７２ａ−１）が設けられ、左右方向の一方の側にネジ穴が設けられた第３支持部本体（７２）と、第３支持部本体のネジ穴に螺合し、その先端が第２支持部本体の左右方向の一方の側の面に当接する第１ネジ部（８０）と、第１ネジ部を回転させる第２操作つまみ（８２）と、第１支持軸の周面に沿って巻回して設けられ、第３支持部本体と第２支持部本体の間に設けられ、第２支持部本体を第３支持部本体に対して左右方向の一方の側に付勢する第１コイル状バネ（７６）と、を有し、
前後方向スライド支持部（５０）が、第３支持部本体に設けられた貫通孔に挿通された第２支持軸（５４）と、第２支持軸の両側の端部を支持し、前後方向の一方の側にネジ穴が設けられた第４支持部本体（５２）と、第４支持部本体のネジ穴に螺合し、その先端が第３支持部本体の前後方向の一方の側の面に当接する第２ネジ部（６０）と、第２ネジ部を回転させる第３操作つまみ（６２）と、第２支持軸の周面に沿って巻回して設けられ、第４支持部本体と第３支持部本体の間に設けられ、第３支持部本体を第４支持部本体に対して前後方向の一方の側に付勢する第２コイル状バネ（５６）と、を有することを特徴とする請求項１に記載のコンタクトレンズ保持装置。
【請求項３】
第２支持部本体（９２）は、上記一対の貫通穴（９４ａ）が設けられた水平方向部材（９４、９６）と、水平方向部材の上面に立設し、鉛直方向で、かつ、前後方向を向いた板状の垂直方向部材（９８）とを有し、垂直方向部材が、上記軸部を回転可能に支持し、垂直方向部材の左右両側の面におけるいずれかの面にウォーム支持部が固定され、ウォーム支持部が設けられた面とは反対側に第１支持部本体が設けられ、
第３支持部本体（７２）は、略長方形状の板状の本体部（７２ａ）と、本体部の左右両側の端部から上方に突出した突状部（７２ｂ、７２ｃ）とを有する略コ字状の板状を呈し、前後方向に設けられた一対の貫通穴（７２ａ−１）は本体部に形成され、一対の第１支持軸（７４）は、一対の突状部に支持されており、
第４支持部本体（５２）は、略長方形状の板状の本体部（５２ａ）と、本体部の前後両側の端部から上方に突出した第２突状部（５２ｂ、５２ｃ）とを有する略コ字状の板状を呈し、一対の第２支持軸（５４）は、一対の第２突状部に支持されていることを特徴とする請求項２に記載のコンタクトレンズ保持装置。
【請求項４】
コンタクトレンズの曲率半径を測定する測定装置に用いるコンタクトレンズ保持装置であって、
コンタクトレンズを設置する設置部（１１９）を有するコンタクトレンズ支持部（１１０）と、
コンタクトレンズ支持部を水平方向における１の方向である左右方向の回転軸を中心に揺動可能に支持する揺動支持部（９０）と、
揺動支持部を水平方向における左右方向とは直角の方向である前後方向にスライド可能に支持する前後方向スライド支持部（５０’）と、
前後方向スライド支持部を左右方向にスライド可能に支持する左右方向スライド支持部（７０’）と、
左右方向スライド支持部を固定して支持するベース部で、測定装置に上下動可能に設けられた保持装置支持部に取り付けるための取付部を有するベース部（４２）と、
を有することを特徴とするコンタクトレンズ保持装置。
【請求項５】
コンタクトレンズ支持部（１１０）が、コンタクトレンズ設置具（１１８）と、第１支持部本体（１１２）とを有し、コンタクトレンズ設置具（１１８）は、板状の台部（１１８ａ）と、台部から立設した設置具本体部で、その上面に凹状の上記設置部（１１９）が設けられた設置具本体部（１１８ｂ）とを有し、第１支持部本体（１１２）は、コンタクトレンズ設置具を載置する載置面（１１４ａ）を有し、揺動支持部のウォームホイールと同軸の軸部（１０７）により支持され、
揺動支持部（９０）が、前後方向の回転軸を中心に回転可能に設けられたウォーム（１０２）と、ウォームを回転させる第１操作つまみ（１０４）と、ウォームを回転可能に支持するウォーム支持部（１００）と、ウォームに歯合し左右方向の回転軸を中心に回転可能に設けられたウォームホイール（１０６）と、ウォームホイールにウォームホイールと同軸に固定され、第１支持部本体を支持する軸部（１０７）と、該軸部を回転可能に支持するとともに、ウォーム支持部を固定して支持し、前後方向に一対の貫通穴（９４ａ）が設けられた第２支持部本体（９２）と、を有し、
前後方向スライド支持部（５０’）が、第２支持部本体に設けられた貫通孔に挿通された第１支持軸（５４）と、第１支持軸の両側の端部を支持し、左右方向に一対の貫通穴（５２ａ−１）が設けられ、前後方向の一方の側にネジ穴が設けられた第３支持部本体（５２）と、第３支持部本体のネジ穴に螺合し、その先端が第２支持部本体の前後方向の一方の側の面に当接する第１ネジ部（６０）と、第１ネジ部を回転させる第１操作つまみ（６２）と、第１支持軸の周面に沿って巻回して設けられ、第３支持部本体と第２支持部本体の間に設けられ、第２支持部本体を第３支持部本体に対して前後方向の一方の側に付勢する第１コイル状バネ（５６）と、を有し、
左右方向スライド支持部（７０’）が、第３支持部本体に設けられた貫通孔に挿通された第２支持軸（７４）と、第２支持軸の両側の端部を支持し、左右方向の一方の側にネジ穴が設けられた第４支持部本体（７２）と、第４支持部本体のネジ穴に螺合し、その先端が第３支持部本体の左右方向の一方の側の面に当接する第２ネジ部（８０）と、第２ネジ部を回転させる第２操作つまみ（８２）と、第２支持軸の周面に沿って巻回して設けられ、第４支持部本体と第３支持部本体の間に設けられ、第３支持部本体を第４支持部本体に対して左右方向の一方の側に付勢する第２コイル状バネ（７６）と、を有することを特徴とする請求項４に記載のコンタクトレンズ保持装置。
【請求項６】
第２支持部本体（９２）は、上記一対の貫通穴（９４ａ）が設けられた水平方向部材（９４、９６）と、水平方向部材の上面に立設し、鉛直方向で、かつ、前後方向を向いた板状の垂直方向部材（９８）とを有し、垂直方向部材が、上記軸部を回転可能に支持し、垂直方向部材の左右両側の面におけるいずれかの面にウォーム支持部が固定され、ウォーム支持部が設けられた面とは反対側に第１支持部本体が設けられ、
第３支持部本体（５２）は、略長方形状の板状の本体部（５２ａ）と、本体部の左右両側の端部から上方に突出した突状部（５２ｂ、５２ｃ）とを有する略コ字状の板状を呈し、左右方向に設けられた一対の貫通穴（５２ａ−１）は本体部に形成され、一対の第１支持軸（５４）は、一対の突状部に支持されており、
第４支持部本体（７２）は、略長方形状の板状の本体部（７２ａ）と、本体部の前後両側の端部から上方に突出した第２突状部（７２ｂ、７２ｃ）とを有する略コ字状の板状を呈し、一対の第２支持軸（７４）は、一対の第２突状部に支持されていることを特徴とする請求項５に記載のコンタクトレンズ保持装置。
【請求項７】
第２支持部本体（９２）における水平方向部材は、略直方体のスライド体（９４）と、スライド体の上面に固定された板状の水平板部（９６）とを有し、上記左右方向の一対の貫通穴（９４ａ）はスライド体に形成され、垂直方向部材は、水平板部の上面に固定されていることを特徴とする請求項３又は６に記載のコンタクトレンズ保持装置。
【発明の詳細な説明】
【技術分野】
【０００１】
本発明は、コンタクトレンズの光学特性（特に、曲率半径）を測定する測定装置に用いる装置で、コンタクトレンズを保持する装置に関するものであり、特に、視力矯正用コンタクトレンズについての保持装置に関するものである。
【背景技術】
【０００２】
従来より、コンタクトレンズの曲率半径を測定するための測定装置において、コンタクトレンズを置くための置台としては、特許文献１に示すように、置台がモータと送りネジによる送り機構により上下動されるものが存在する。
【０００３】
また、視力矯正用のコンタクトレンズは、図６に示すように、第１球面３００の外側に第２球面３０２を有し、第２球面３０２の外側に第３球面３０４を有し、第３球面３０４の外側に第４球面３０６を有し、第４球面３０６の外側に第５球面３０８を有する構成となっていて、第１球面３００は、平面視において円形を呈し、第２球面３０２〜第５球面３０８は、平面視においてリング状を呈している。この第１球面３００〜第５球面３０８における各球面は曲率半径が異なり、隣接する各球面の境界は不連続に形成されている。つまり、曲率半径の異なる不連続の複数の球面が内側（中心側）から外側に向けて形成されている。
【先行技術文献】
【特許文献】
【０００４】
【特許文献１】特公平７−１１１３９０号公報
【発明の概要】
【発明が解決しようとする課題】
【０００５】
しかし、特許文献１の置台及び送り機構においては、コンタクトレンズを上下に移動させるのみであるので、図６に示すような曲率半径の異なる不連続の複数の球面が設けられている場合には、第２球面３０２〜第５球面３０８を測定するには、置台に設置されるコンタクトレンズの向きを変えて置台に設置しなおして測定することを繰り返す必要があり、曲率半径の測定が困難であるという問題がある。
【０００６】
そこで、本発明は、曲率半径の異なる不連続の複数の球面が形成された視力矯正用コンタクトレンズの曲率半径を測定する際に、複数の球面における各球面の曲率半径を効率よく測定することができるコンタクトレンズ保持装置を提供することを目的とするものである。
【課題を解決するための手段】
【０００７】
本発明は上記問題点を解決するために創作されたものであって、第１には、コンタクトレンズの曲率半径を測定する測定装置に用いるコンタクトレンズ保持装置であって、コンタクトレンズを設置する設置部（１１９）を有するコンタクトレンズ支持部（１１０）と、コンタクトレンズ支持部を水平方向における１の方向である左右方向の回転軸を中心に揺動可能に支持する揺動支持部（９０）と、揺動支持部を左右方向にスライド可能に支持する左右方向スライド支持部（７０）と、左右方向スライド支持部を水平方向における左右方向とは直角の方向である前後方向にスライド可能に支持する前後方向スライド支持部（５０）と、前後方向スライド支持部を固定して支持するベース部で、測定装置に上下動可能に設けられた保持装置支持部に取り付けるための取付部（４６）を有するベース部（４２）と、を有することを特徴とする。
【０００８】
上記第１の構成においては、揺動支持部と左右方向スライド支持部と前後方向スライド支持部が設けられており、前後方向スライド支持部により左右方向スライド支持部及び揺動支持部が前後方向にスライドし、左右方向スライド支持部により揺動支持部が左右方向にスライドし、揺動支持部によりコンタクトレンズ支持部が左右方向の回転軸を中心に揺動するので、曲率半径の異なる不連続の複数の球面が内側（中心側）から外側に向けて形成されたコンタクトレンズに対して、各球面の光軸と測定装置の対物レンズの光軸とを容易に一致させることができ、各球面の曲率半径を効率よく測定することができる。つまり、ある球面の測定が完了して次の球面を測定する際には、揺動支持部によりコンタクトレンズ支持部を揺動させるとともに、前後方向スライド支持部により前後方向にスライドさせればよいので、各球面の光軸と測定装置の対物レンズの光軸とを容易に一致させることができる。
【０００９】
また、第２には、上記第１の構成において、コンタクトレンズ支持部（１１０）が、コンタクトレンズ設置具（１１８）と、第１支持部本体（１１２）とを有し、コンタクトレンズ設置具（１１８）は、板状の台部（１１８ａ）と、台部から立設した設置具本体部で、その上面に凹状の上記設置部（１１９）が設けられた設置具本体部（１１８ｂ）とを有し、第１支持部本体（１１２）は、コンタクトレンズ設置具を載置する載置面（１１４ａ）を有し、揺動支持部のウォームホイールと同軸の軸部（１０７）により支持され、揺動支持部（９０）が、前後方向の回転軸を中心に回転可能に設けられたウォーム（１０２）と、ウォームを回転させる第１操作つまみ（１０４）と、ウォームを回転可能に支持するウォーム支持部（１００）と、ウォームに歯合し左右方向の回転軸を中心に回転可能に設けられたウォームホイール（１０６）と、ウォームホイールにウォームホイールと同軸に固定され、第１支持部本体を支持する軸部（１０７）と、該軸部を回転可能に支持するとともに、ウォーム支持部を固定して支持し、左右方向に一対の貫通穴（９４ａ）が設けられた第２支持部本体（９２）と、を有し、左右方向スライド支持部（７０）が、第２支持部本体に設けられた貫通孔に挿通された第１支持軸（７４）と、第１支持軸の両側の端部を支持し、前後方向に一対の貫通穴（７２ａ−１）が設けられ、左右方向の一方の側にネジ穴が設けられた第３支持部本体（７２）と、第３支持部本体のネジ穴に螺合し、その先端が第２支持部本体の左右方向の一方の側の面に当接する第１ネジ部（８０）と、第１ネジ部を回転させる第２操作つまみ（８２）と、第１支持軸の周面に沿って巻回して設けられ、第３支持部本体と第２支持部本体の間に設けられ、第２支持部本体を第３支持部本体に対して左右方向の一方の側に付勢する第１コイル状バネ（７６）と、を有し、前後方向スライド支持部（５０）が、第３支持部本体に設けられた貫通孔に挿通された第２支持軸（５４）と、第２支持軸の両側の端部を支持し、前後方向の一方の側にネジ穴が設けられた第４支持部本体（５２）と、第４支持部本体のネジ穴に螺合し、その先端が第３支持部本体の前後方向の一方の側の面に当接する第２ネジ部（６０）と、第２ネジ部を回転させる第３操作つまみ（６２）と、第２支持軸の周面に沿って巻回して設けられ、第４支持部本体と第３支持部本体の間に設けられ、第３支持部本体を第４支持部本体に対して前後方向の一方の側に付勢する第２コイル状バネ（５６）と、を有することを特徴とする。
【００１０】
上記第２の構成においては、左右方向スライド支持部においては、第１コイル状バネにより付勢されている第３支持部本体を第２操作つまみを回転させることにより第１ネジ部を回転させて、第３支持部本体の左右方向の位置を調整することができ、また、前後方向スライド支持部においては、第２コイル状バネにより付勢されている第４支持部本体を第３操作つまみを回転させることにより第２ネジ部を回転させて、第４支持部本体の左右方向の位置を調整することができるので、前後方向及び左右方向に細かく調整することができる。また、揺動支持部においては、第１操作つまみを回転させることにより、ウォームとウォームホイールとからなるウォームギアを回転させてコンタクトレンズ支持部を揺動させるので、揺動する角度を細かく調整することができる。
【００１１】
また、第３には、上記第２の構成において、第２支持部本体（９２）は、上記一対の貫通穴（９４ａ）が設けられた水平方向部材（９４、９６）と、水平方向部材の上面に立設し、鉛直方向で、かつ、前後方向を向いた板状の垂直方向部材（９８）とを有し、垂直方向部材が、上記軸部を回転可能に支持し、垂直方向部材の左右両側の面におけるいずれかの面にウォーム支持部が固定され、ウォーム支持部が設けられた面とは反対側に第１支持部本体が設けられ、第３支持部本体（７２）は、略長方形状の板状の本体部（７２ａ）と、本体部の左右両側の端部から上方に突出した突状部（７２ｂ、７２ｃ）とを有する略コ字状の板状を呈し、前後方向に設けられた一対の貫通穴（７２ａ−１）は本体部に形成され、一対の第１支持軸（７４）は、一対の突状部に支持されており、第４支持部本体（５２）は、略長方形状の板状の本体部（５２ａ）と、本体部の前後両側の端部から上方に突出した第２突状部（５２ｂ、５２ｃ）とを有する略コ字状の板状を呈し、一対の第２支持軸（５４）は、一対の第２突状部に支持されていることを特徴とする。
【００１２】
また、第４には、コンタクトレンズの曲率半径を測定する測定装置に用いるコンタクトレンズ保持装置であって、コンタクトレンズを設置する設置部（１１９）を有するコンタクトレンズ支持部（１１０）と、コンタクトレンズ支持部を水平方向における１の方向である左右方向の回転軸を中心に揺動可能に支持する揺動支持部（９０）と、揺動支持部を水平方向における左右方向とは直角の方向である前後方向にスライド可能に支持する前後方向スライド支持部（５０’）と、前後方向スライド支持部を左右方向にスライド可能に支持する左右方向スライド支持部（７０’）と、左右方向スライド支持部を固定して支持するベース部で、測定装置に上下動可能に設けられた保持装置支持部に取り付けるための取付部を有するベース部（４２）と、を有することを特徴とする。
【００１３】
上記第４の構成においては、揺動支持部と左右方向スライド支持部と前後方向スライド支持部が設けられており、左右方向スライド支持部により前後方向スライド支持部及び揺動支持部が左右方向にスライドし、前後方向スライド支持部により揺動支持部が前後方向にスライドし、揺動支持部によりコンタクトレンズ支持部が左右方向の回転軸を中心に揺動するので、曲率半径の異なる不連続の複数の球面が内側（中心側）から外側に向けて形成されたコンタクトレンズに対して、各球面の光軸と測定装置の対物レンズの光軸とを容易に一致させることができ、各球面の曲率半径を効率よく測定することができる。つまり、ある球面の測定が完了して次の球面を測定する際には、揺動支持部によりコンタクトレンズ支持部を揺動させるとともに、前後方向スライド支持部により前後方向にスライドさせればよいので、各球面の光軸と測定装置の対物レンズの光軸とを容易に一致させることができる。
【００１４】
また、第５には、上記第４の構成において、コンタクトレンズ支持部（１１０）が、コンタクトレンズ設置具（１１８）と、第１支持部本体（１１２）とを有し、コンタクトレンズ設置具（１１８）は、板状の台部（１１８ａ）と、台部から立設した設置具本体部で、その上面に凹状の上記設置部（１１９）が設けられた設置具本体部（１１８ｂ）とを有し、第１支持部本体（１１２）は、コンタクトレンズ設置具を載置する載置面（１１４ａ）を有し、揺動支持部のウォームホイールと同軸の軸部（１０７）により支持され、揺動支持部（９０）が、前後方向の回転軸を中心に回転可能に設けられたウォーム（１０２）と、ウォームを回転させる第１操作つまみ（１０４）と、ウォームを回転可能に支持するウォーム支持部（１００）と、ウォームに歯合し左右方向の回転軸を中心に回転可能に設けられたウォームホイール（１０６）と、ウォームホイールにウォームホイールと同軸に固定され、第１支持部本体を支持する軸部（１０７）と、該軸部を回転可能に支持するとともに、ウォーム支持部を固定して支持し、前後方向に一対の貫通穴（９４ａ）が設けられた第２支持部本体（９２）と、を有し、前後方向スライド支持部（５０’）が、第２支持部本体に設けられた貫通孔に挿通された第１支持軸（５４）と、第１支持軸の両側の端部を支持し、左右方向に一対の貫通穴（５２ａ−１）が設けられ、前後方向の一方の側にネジ穴が設けられた第３支持部本体（５２）と、第３支持部本体のネジ穴に螺合し、その先端が第２支持部本体の前後方向の一方の側の面に当接する第１ネジ部（６０）と、第１ネジ部を回転させる第１操作つまみ（６２）と、第１支持軸の周面に沿って巻回して設けられ、第３支持部本体と第２支持部本体の間に設けられ、第２支持部本体を第３支持部本体に対して前後方向の一方の側に付勢する第１コイル状バネ（５６）と、を有し、左右方向スライド支持部（７０’）が、第３支持部本体に設けられた貫通孔に挿通された第２支持軸（７４）と、第２支持軸の両側の端部を支持し、左右方向の一方の側にネジ穴が設けられた第４支持部本体（７２）と、第４支持部本体のネジ穴に螺合し、その先端が第３支持部本体の左右方向の一方の側の面に当接する第２ネジ部（８０）と、第２ネジ部を回転させる第２操作つまみ（８２）と、第２支持軸の周面に沿って巻回して設けられ、第４支持部本体と第３支持部本体の間に設けられ、第３支持部本体を第４支持部本体に対して左右方向の一方の側に付勢する第２コイル状バネ（７６）と、を有することを特徴とする。
【００１５】
上記第５の構成においては、前後方向スライド支持部においては、第１コイル状バネにより付勢されている第３支持部本体を第２操作つまみを回転させることにより第１ネジ部を回転させて、第３支持部本体の左右方向の位置を調整することができ、また、左右方向スライド支持部においては、第２コイル状バネにより付勢されている第４支部本体を第３操作つまみを回転させることにより第２ネジ部を回転させて、第４支持部本体の左右方向の位置を調整することができるので、前後方向及び左右方向に細かく調整することができる。また、揺動支持部においては、第１操作つまみを回転させることにより、ウォームとウォームホイールとからなるウォームギアを回転させてコンタクトレンズ支持部を揺動させるので、揺動する角度を細かく調整することができる。
【００１６】
また、第６には、上記第５の構成において、第２支持部本体（９２）は、上記一対の貫通穴（９４ａ）が設けられた水平方向部材（９４、９６）と、水平方向部材の上面に立設し、鉛直方向で、かつ、前後方向を向いた板状の垂直方向部材（９８）とを有し、垂直方向部材が、上記軸部を回転可能に支持し、垂直方向部材の左右両側の面におけるいずれかの面にウォーム支持部が固定され、ウォーム支持部が設けられた面とは反対側に第１支持部本体が設けられ、第３支持部本体（５２）は、略長方形状の板状の本体部（５２ａ）と、本体部の左右両側の端部から上方に突出した突状部（５２ｂ、５２ｃ）とを有する略コ字状の板状を呈し、左右方向に設けられた一対の貫通穴（５２ａ−１）は本体部に形成され、一対の第１支持軸（５４）は、一対の突状部に支持されており、第４支持部本体（７２）は、略長方形状の板状の本体部（７２ａ）と、本体部の前後両側の端部から上方に突出した第２突状部（７２ｂ、７２ｃ）とを有する略コ字状の板状を呈し、一対の第２支持軸（７４）は、一対の第２突状部に支持されていることを特徴とする。
【００１７】
また、第７には、上記第３又は第６の構成において、第２支持部本体（９２）における水平方向部材は、略直方体のスライド体（９４）と、スライド体の上面に固定された板状の水平板部（９６）とを有し、上記左右方向の一対の貫通穴（９４ａ）はスライド体に形成され、垂直方向部材は、水平板部の上面に固定されていることを特徴とする。
【００１８】
なお、第８の構成として以下の構成としてもよい。すなわち、「コンタクトレンズの曲率半径を測定するコンタクトレンズ用測定装置であって、第１又は２又は３又は４又は５又は６又は７の構成のコンタクトレンズ保持装置と、コンタクトレンズ保持装置の取付部（４６）に取り付けられ、コンタクトレンズ保持装置を上下方向にスライド可能に支持する保持装置支持部（２８）と、保持装置支持部を上下動させる上下動機構部（２２、２４）と、接眼レンズ（２０２）と、接眼レンズと測定対象のコンタクトレンズの間に設けられる対物レンズ（２１０）と、光を照射する光源（２０４）と、光源からの光により画像を投影するためのターゲット（２０６）と、接眼レンズと対物レンズ間に設けられ、ターゲットの画像を対物レンズに反射するためのハーフミラー（２０８）とを有する光学系構成部（２００）と、上下動機構部によりコンタクトレンズ保持装置を上下方向に移動させて、光学系構成部によりターゲット像の実像を結像した際の保持装置支持部の上下方向の位置と光学系構成部によりターゲット層の虚像を結像した際の保持装置支持部の上下方向の位置の間の上下方向の長さを表示する表示装置（３０）と、を有することを特徴とするコンタクトレンズ用測定装置。」としてもよい。
【００１９】
この第８の構成によれば、上下動機構部によりコンタクトレンズ保持装置を上下方向に移動させて、光学系構成部によりターゲット像の実像を結像した際の保持装置支持部の上下方向の位置と光学系構成部によりターゲット層の虚像を結像した際の保持装置支持部の上下方向の位置の間の上下方向の長さが表示装置に表示されるので、測定した球面の曲率半径を測定することができる。
【００２０】
また、コンタクトレンズ保持装置には、揺動支持部と左右方向スライド支持部と前後方向スライド支持部が設けられているので、曲率半径の異なる不連続の複数の球面が内側（中心側）から外側に向けて形成されたコンタクトレンズに対して、各球面の光軸と測定装置の対物レンズの光軸とを容易に一致させることができ、各球面の曲率半径を効率よく測定することができる。
【発明の効果】
【００２１】
本発明に基づくコンタクトレンズ保持装置によれば揺動支持部と左右方向スライド支持部と前後方向スライド支持部が設けられているので、曲率半径の異なる不連続の複数の球面が内側（中心側）から外側に向けて形成されたコンタクトレンズに対して、各球面の光軸と測定装置の対物レンズの光軸とを容易に一致させることができ、各球面の曲率半径を効率よく測定することができる。
【図面の簡単な説明】
【００２２】
【図１】コンタクトレンズ用測定装置を示す斜視図である。
【図２】コンタクトレンズ用測定装置を示す分解斜視図である。
【図３】コンタクトレンズ保持装置を示す前方斜視図である。
【図４】コンタクトレンズ保持装置を示す後方斜視図である。
【図５】コンタクトレンズ用測定装置を説明するための説明図である。
【図６】コンタクトレンズ用測定装置により測定を行なうコンタクトレンズを説明する説明図であり、（ａ）は平面図であり、（ｂ）は（ａ）のＡ−Ａ断面図である。
【図７】コンタクトレンズ用測定装置による測定方法を説明する説明図である。
【図８】コンタクトレンズ用測定装置による測定方法を説明する説明図である。
【図９】コンタクトレンズ保持装置の他の例を示す前方斜視図である。
【発明を実施するための形態】
【００２３】
本発明においては、曲率半径の異なる不連続の複数の球面が形成された視力矯正用コンタクトレンズの曲率半径を測定する際に、複数の球面における各球面の曲率半径を効率よく測定することができるコンタクトレンズ保持装置を提供するという目的を以下のようにして実現した。
【実施例１】
【００２４】
本発明に基づくコンタクトレンズ用測定装置（以下「測定装置」とする）５は、コンタクトレンズの光学特性（特に、曲率半径）を測定する装置であり、図１〜図５に示すように構成され、装置本体７と、装置本体７に着脱可能なコンタクトレンズ保持装置（以下「保持装置」とする）（コンタクトレンズ支持装置としてもよい）４０とを有している。
【００２５】
ここで、装置本体７は、筐体部１０と、粗動つまみ２２と、微動つまみ２４と、筒体２６と、保持装置支持部２８と、表示部３０等を有している。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００２６】
筐体部１０は、測定装置５を設置するための設置面を有する台部１２と、台部１２の背面側から立設した立設部１４と、立設部１４の上側部分から正面側に突出した前方突出部１６と、前方突出部１６の底面から下方に突出した下方突出部１８と、下方突出部１８の側面から側方に突出した側方突出部２０とを有している。
【００２７】
また、粗動つまみ２２は、筐体部１０の立設部１４の左側面側の側方に取り付けられ、この粗動つまみ２２を回転することにより、保持装置支持部２８の上下動を粗調整することができる。また、微動つまみ２４は、筐体部１０の立設部１４の右側面側の側方に取り付けられ、この微動つまみ２４を回転することにより、保持装置支持部２８の上下動を微調整することができる。なお、当然、筐体部１０内に保持装置支持部２８を上下動させる機構（図示せず）が設けられている。この保持装置支持部２８を上下動させる機構と、粗動つまみ２２と、微動つまみ２４とで、上下動機構部が構成される。
【００２８】
また、筒体２６は、前方突出部１６から正面側の斜め上方に突出して一対形成され、この筒体２６には、接眼レンズ２０２（厳密には、接眼レンズ２０２の一部）が取り付けられている。
【００２９】
また、保持装置支持部２８は、立設部１４に対して上下動可能に取り付けられ、正面側（Ｙ１側）に突出した取付け板部２８ａを有している。この取付け板部２８ａに、保持装置４０が取り付けられる。
【００３０】
また、表示部（表示装置）３０は、立設部１４の正面側の上端領域に設けられ、測定された曲率半径の値が表示される。
【００３１】
また、保持装置４０は、ベース部４２と、ベース部４２に固定された前後方向スライド支持部５０と、前後方向スライド支持部５０に前後方向にスライド可能に支持された左右方向スライド支持部７０と、左右方向スライド支持部７０に左右方向にスライド可能に支持された揺動支持部９０と、揺動支持部９０に揺動可能に支持されたコンタクトレンズ支持部１１０とを有している。
【００３２】
ベース部４２は、略方形状（略長方形状）の板状部分を有するとともに、保持装置支持部２８の取付部を有するものであり、ベース部本体部４４とベース部本体部４４に取り付けられた取付用部材（取付部）４６とを有している。
【００３３】
ここで、ベース部本体部４４は、板状を呈し、背面側（Ｙ２側）に方形状の切欠部４４ａを有する。この切欠部４４ａには、取付け板部２８ａに保持装置４０を取り付ける際に、取付け板部２８ａが配置される。
【００３４】
また、取付用部材４６は、略コ字状の板状を呈し、長方形状の板状を呈する本体部４６ａと、本体部４６ａの底面の左右両側の端部から下方に突出した突状部４６ｂ、４６ｃを有する形状を呈し、ベース部本体部４４の背面側の上面に取り付けられ、突状部４６ｂ、４６ｃが、左右両側の２箇所に設けられた計４つの挿通穴４７−１（つまり、本体部４６ａ及び突状部４６ｂに挿通された２つの挿通穴と、本体部４６ａ及び突状部４６ｃに挿通された２つの挿通穴）にネジ部４７ａを挿通し、ベース部本体部４４に設けられたネジ穴に螺着することにより固定（固着でもよい）されている。また、ネジ部４７ａが挿通される挿通穴４７−１の内側には、左右に２箇所ずつの挿通穴４７−２が形成され、この挿通穴４７−２にネジ部４７ｂを挿通し、取付け板部２８ａのネジ穴２８ｂに螺着することにより、ベース部４２が取付け板部２８ａに固定（固着でもよい）される。つまり、取付用部材４６は、測定装置５に上下動可能に設けられた保持装置支持部２８に取り付けるための取付部である。
【００３５】
また、前後方向スライド支持部５０は、略コ字状の板状を呈する支持部本体（第４支持部本体）５２と、支持部本体５２に設けられ一対の支持軸（第２支持軸）５４と、一対の支持軸５４に設けられたコイル状バネ（第２コイル状バネ）５６と、左右方向スライド支持部７０の支持部本体７２の前後方向のスライド量を調整する操作部（第２操作部）５８とを有している。
【００３６】
支持部本体５２は、長方形状（略長方形状としてもよい）の板状を呈する本体部５２ａと、本体部５２ａの上面の前後両側の端部から上方に突出した突状部（第２突状部）５２ｂ、５２ｃを有し、突状部５２ｂ、５２ｃの左右方向の幅は、本体部５２ａの左右方向の幅と同一に形成されている。突状部５２ｂ、５２ｃには、一対の支持軸５４を挿通するための貫通穴７２ａ−１が前後方向に形成され、また、操作部５８が装着される突状部５２ｂには、操作部５８のネジ部６０に螺合するネジ穴が形成されている。つまり、支持軸５４を挿通する貫通穴は、突状部５２ｂ、５２ｃにおける左右方向において均等な位置（つまり、突状部５２ｂ、５２ｃの左右方向の中心位置から等距離の位置（略等距離の位置としてもよい））に形成されており、支持軸５４を挿通する貫通穴は、上下方向に同じ高さに形成されている。ネジ穴は、支持軸７４を挿通する貫通穴の間の位置（前後方向において、突状部５２ｂの中央位置（略中央位置としてもよい））に設けられている。
【００３７】
支持軸５４は、円柱棒状を呈し、突状部５２ｂと突状部５２ｃの貫通穴に挿通され、突状部５２ｂ、５２ｃに固定（固着でもよい）されている。一対の支持軸５４は、互いに平行に設けられ、ともに前後方向（Ｙ１−Ｙ２方向）を向いている。なお、一対の支持軸５４の方向は、ベース部本体部４４の上面と平行となっている。支持軸５４は、左右方向スライド支持部７０の支持部本体７２に形成された一対の貫通穴７２ａ−１に挿通して、支持部本体７２を前後方向にスライド可能に支持している。
【００３８】
コイル状バネ５６は、支持軸５４が挿通することにより（つまり、支持軸５４の周面に沿って巻回された状態で設けることにより）一対の支持軸５４における各支持軸５４に取り付けられ、支持部本体７２の本体部７２ａと突状部５２ｃ間の位置に取り付けられている。これにより、コイル状バネ５６は、支持部本体７２を支持部本体５２に対して正面側（Ｙ１側）に付勢している。
【００３９】
操作部５８は、周面にネジ溝が形成されたネジ部（第２ネジ部）６０と、ネジ部６０の正面側の端部に固定して設けられた操作つまみ（第２操作つまみ）６２を有し、操作つまみ６２は、略円柱状の外形を有し、操作つまみ６２を回転することにより、ネジ部６０が回転して、突状部５２ｂに対して前後方向に移動する。ネジ部６０の背面側の端部は、支持部本体７２の本体部７２ａの正面側の面に当接し、コイル状バネ５６により支持部本体７２が正面側に付勢されているので、ネジ部６０を正面側に移動させることにより支持部本体７２が正面側にスライドし、ネジ部６０を背面側に移動させることにより支持部本体７２が背面側にスライドするようになっている。
【００４０】
また、左右方向スライド支持部７０は、略コ字状の板状を呈する支持部本体（第３支持部本体）７２と、支持部本体７２に設けられ一対の支持軸（第１支持軸）７４と、一対の支持軸７４に設けられたコイル状バネ（第１コイル状バネ）７６と、揺動支持部９０のスライド体９４の前後方向のスライド量を調整する操作部（第１操作部）７８とを有している。
【００４１】
支持部本体７２は、長方形状（略長方形状としてもよい）の板状を呈する本体部７２ａと、本体部７２ａの上面の左右両側の端部から上方に突出した突状部７２ｂ、７２ｃを有し、突状部７２ｂ、７２ｃの前後方向の幅は、本体部７２ａの前後方向の幅と同一に形成されている。突状部７２ｂ、７２ｃには、一対の支持軸７４を挿通するための貫通穴が左右方向に形成され、また、操作部７８が装着される突状部７２ｂには、操作部７８のネジ部８０に螺合するネジ穴が形成されている。つまり、支持軸７４を挿通する貫通穴は、突状部７２ｂ、７２ｃにおける前後方向において均等な位置に（つまり、突状部７２ｂ、７２ｃの左右方向の中心位置から等距離の位置（略等距離の位置としてもよい））に形成されており、、支持軸７４を挿通する一対の貫通穴は、上下方向に同じ高さに形成されている。ネジ穴は、支持軸７４を挿通する貫通穴の間の位置（前後方向において、突状部７２ｂの中央位置（略中央位置としてもよい））に設けられている。
【００４２】
また、本体部７２ａには、前後方向に一対の支持軸５４を挿通するための貫通穴７２ａ−１が形成されている。この貫通穴７２ａ−１は、本体部７２ａの左右方向において均等な位置（つまり、本体部７２ａの左右方向の中心位置から等距離の位置（略等距離の位置としてもよい））に設けられている。
【００４３】
支持軸７４は、円柱棒状を呈し、突状部７２ｂと突状部７２ｃの貫通穴に挿通され、突状部７２ｂ、７２ｃに固定（固着でもよい）されている。一対の支持軸７４は、互いに平行に設けられ、ともに前後方向（Ｙ１−Ｙ２方向）を向いている。なお、一対の支持軸７４の方向は、ベース部本体部４４の上面と平行となっている。支持軸７４は、揺動支持部９０のの板状部９４に形成された一対の貫通穴９４ａに挿通して、板状部９４を左右方向にスライド可能に支持している。
【００４４】
コイル状バネ７６は、支持軸７４が挿通することにより（つまり、支持軸７４の周面に沿って巻回された状態で設けることにより）一対の支持軸７４における各支持軸５４に取り付けられ、板状部９４と突状部７２ｃ間の位置に取り付けられている。これにより、コイル状バネ７６は、板状部９４を支持部本体７２に対して左側面側（Ｘ１側）に付勢している。
【００４５】
操作部７８は、周面にネジ溝が形成されたネジ部（第１ネジ部）８０と、ネジ部８０の左側面側の端部に固定して設けられた操作つまみ（第１操作つまみ）８２を有し、操作つまみ８２は、略円柱状の外形を有し、操作つまみ８２を回転することにより、ネジ部８０が回転して、突状部７２ｂに対して左右方向に移動する。ネジ部８０の右側面側（Ｘ２側）の端部は、板状部９４の左側面側の面に当接し、コイル状バネ７６により板状部９４が左側面側に付勢されているので、ネジ部８０を左側面側に移動させることにより板状部９４が左側面側にスライドし、ネジ部８０を右側面側に移動させることにより板状部９４が右側面側にスライドするようになっている。
【００４６】
また、揺動支持部９０は、支持部本体（第２支持部本体）９２と、ウォーム支持部１００と、ウォーム１０２と、操作つまみ１０４と、ウォームホイール１０６とを有している。
【００４７】
ここで、支持部本体９２は、支持軸７４により左右方向にスライド可能に支持されたスライド体９４と、スライド体９４の上面に固定された水平板部９６と、水平板部９６の上面の右側面側の端部に支持された垂直板部（垂直方向部材）９８とを有している。
【００４８】
スライド体９４は、直方体形状（略直方体形状、板状、略板状としてもよい）を呈し、支持軸７４を挿通するための一対の貫通穴９４ａが左右方向に形成されている。一対の貫通穴９４ａは、スライド体９４における前後方向において均等な位置（つまり、スライド体９４の前後方向の中心位置から等距離の位置（略等距離の位置としてもよい））に形成されている。
【００４９】
また、水平板部９６は、方形状の板状を呈し、スライド体９４の上面に固定（固着でもよい）されている（ボルト９６ａにより固定されている）。水平板部９６の上面は、水平方向を向いている。なお、スライド体９４と水平板部９６とで、水平方向部材が構成される。
【００５０】
また、垂直板部９８は、板状を呈し、水平板部９６に対して直角（つまり、鉛直方向にに立設して水平板部９６に固定（固着でもよい）され、垂直板部９８は、前後方向を向いている。垂直板部９８の上端の２つの角部は面取りされている。垂直板部９８のウォームホイール１０６の取付け位置には、開口部が形成され、ウォームホイール１０６の左側面側の端部から連設された軸部１０７が垂直板部９８に回転可能に支持されている。つまり、ウォームホイール１０６は、軸部１０７を介して垂直板部９８に軸支されている。
【００５１】
また、ウォーム支持部１００は、垂直板部９８の右側面側の面に取り付けられ（ネジ９８ａにより固定して取り付けられている）、ウォームを回転可能に支持している。ウォーム１０２は、ウォーム支持部１００に支持され、前後方向の回転軸を中心に回転する。操作つまみ１０４は、ウォーム１０２の正面側の端部に連設されている。
【００５２】
ウォームホイール１０６は、垂直板部９８に回転可能に支持され、ウォームホイール１０６の回転軸は左右方向となっている。ウォームホイール１０６の歯車とウォーム１０２の歯車は互いに歯合している。ウォームホイール１０６とウォーム１０２とで、ウォームギアを構成する。ウォームホイール１０６の左側面側の端部からはウォームホイール１０６と同軸（つまり、軸線を共通にする）の軸部１０７が固定して設けられ、軸部１０７は、垂直板部９８の開口部に挿通され、垂直板部９８に対して回転可能に軸支されている。
【００５３】
なお、垂直板部９８を水平板部９６の上面の左側面側に端部に取り付け、ウォーム支持部１００とウォームホイール１０６を垂直板部９８の左側面側に設け、支持部本体１１２を垂直板部９８の左側面側に設けてもよい。
【００５４】
また、コンタクトレンズ支持部１１０は、支持部本体（第１支持部本体）１１２と、支持部本体１１２の設置板部１１４に着脱可能に設置されるコンタクトレンズ設置具１１８とを有している。
【００５５】
ここで、支持部本体１１２は、設置板部１１４と、設置板部１１４の右側面側の面に固定され、設置板部１１４に対して直角方向を向いた垂直板部１１６とを有し、垂直板部１１６にはウォームホイール１０６の左側面側の端部から連設された軸部１０７を嵌合する穴部が形成されている。つまり、垂直板部１１６には、軸部１０７が固定されていて（つまり、垂直板部１１６は、ウォームホイール１０６に軸支されている）、ウォームホイール１０６が回転することにより、コンタクトレンズ支持部１１０は、左右方向の回転軸を中心に回転して揺動するようになっている。つまり、支持部本体１１２は、垂直板部９８の左側面側に設けられている。
【００５６】
なお、設置板部１１４の上面には、コンタクトレンズ設置具１１８を設置するための円形の凹部１１４ａが形成され、凹部１１４ａの端部には円柱状の回り止め１１４ｂが形成されている。凹部１１４ａは、コンタクトレンズ設置具を載置する載置面となる。
【００５７】
コンタクトレンズ設置具１１８は、略円形板状の台部１１８ａと、台部１１８ａの上面から台部１１８ａに対して直角方向に立設した設置具本体部１１８ｂとを有し、設置具本体部１１８ｂは、円柱形状の周面を有し、上端には、球面状の凹部（コンタクトレンズ設置部）１１９が形成されるとともに、該凹部１１９の球面には、十字状の切込みが形成されている。
【００５８】
また、台部１１８ａには、回り止め１１４ｂと係合するための凹部１２０が形成されている。
【００５９】
なお、本実施例においては、左側面側が左右方向の一方の側となり、正面側が前後方向の一方の側となる。
【００６０】
保持装置４０が上記のように構成されていることにより、前後方向スライド支持部５０の操作つまみ６２を回転させることにより、左右方向スライド支持部７０及び揺動支持部９０が前後方向（つまり、水平方向における前後方向）にスライドし（つまり、操作つまみ６２を正面視において右回転させると左右方向スライド支持部７０及び揺動支持部９０が背面側にスライドし、左回転させると左右方向スライド支持部７０及び揺動支持部９０が正面側にスライドする）、左右方向スライド支持部７０の操作つまみ８２を回転させることにより、揺動支持部９０が左右方向（つまり、水平方向における左右方向）にスライドし（つまり、操作つまみ８２を左側面視において右回転させると揺動支持部９０が右側面側にスライドし、左回転させると揺動支持部９０が左側面側にスライドする）、揺動支持部９０の操作つまみ１０４を回転させることにより、コンタクトレンズ支持部１１０が左右方向の回転軸を中心に揺動する。つまり、操作つまみ１０４を正面視において右回転することにより、コンタクトレンズ支持部１１０が正面側に左右方向の回転軸（軸部１０７の中心軸）を中心に正面側に回転し、左回転することにより、コンタクトレンズ支持部１１０が正面側に左右方向の回転軸（軸部１０７の中心軸）を中心に背面側に回転する。
【００６１】
保持装置４０は、保持装置支持部２８の取付け板部２８ａに取り付けられる。つまり、ベース部４２の取付用部材４６の挿通穴４７−２にネジ部４７ｂを挿通し、取付け板部２８ａのネジ穴２８ｂに螺着することにより、保持装置４０が保持装置支持部２８に取り付けられる。
【００６２】
また、測定装置５に設けられた光学系構成部２００は、図５に示すように構成され、接眼レンズ２０２と、光源２０４と、ターゲット２０６と、ハーフミラー２０８と、対物レンズ２１０とを有している。
【００６３】
接眼レンズ２０２の光軸と対物レンズ２１０の光軸とは一致し、光源２０４により照射されたターゲット２０６の像（ターゲット像）がハーフミラー２０８を介して対物レンズ２１０側に投影されるようになっている。
【００６４】
上記構成の測定装置５の使用状態について説明する。まず、測定対象のコンタクトレンズをコンタクトレンズ設置具１１８の設置具本体部１１８ｂの凹部１１９に設置する。測定対象のコンタクトレンズＬは、視力矯正用コンタクトレンズであり、図６に示すように、曲率半径の異なる不連続の複数の球面が内側（中心側）から外側に向けて形成され、平面視において、内側から外側に向けて第１球面３００〜第５球面３０８が形成され、各球面は曲率半径が異なっている。コンタクトレンズＬは、平面視と底面視において円形の外形を呈している。コンタクトレンズＬの設置にあたっては、コンタクトレンズＬの凹面側（第１球面３００〜第５球面３０８が設けられた側）を上側にして凹部１１９に設置する。
【００６５】
その際、揺動支持部９０は、設置板部１１４は水平方向となるようにし、コンタクトレンズＬの内側の面が真上を向くようにし、対物レンズ２１０の光軸Ｋ１と第１球面３００の光軸Ｊ１とが平行になるようにする（つまり、コンタクトレンズＬを内側の中心Ｐ１と外側の中心Ｐ２を通る平面により切断した断面において、第１球面３００と第２球面３０２との一方の境界点Ｐ３と他方の境界点Ｐ４とを結ぶ直線Ｃ１と直角となる直線で中心Ｐ１を通る直線（これが第１球面３００の光軸Ｊ１となる）（切断面と平行な直線としてもよい）が対物レンズ２１０の光軸Ｋ１と平行になるようにする。
【００６６】
次に、前後方向スライド支持部５０の操作つまみ６２と左右方向スライド支持部７０の操作つまみ８２を操作して、揺動支持部９０を前後方向及び／又は左右方向にスライドさせて、対物レンズ２１０の下方位置にコンタクトレンズＬが位置するようにし、対物レンズ２１０の光軸Ｋ１と第１球面３００の光軸Ｊ１とが一致するようにする。
【００６７】
なお、実際には、対物レンズ２１０の光軸Ｋ１と第１球面３００の光軸Ｊ１とが一致しているか否かは、以下の工程において、ターゲット像が見えるか否かで判断することになり、ターゲット像が見えない場合には、コンタクトレンズＬの向きや前後方向及び／又は左右方向の位置を調整することになる。
【００６８】
この状態で、対物レンズ２１０を通したターゲット像をコンタクトレンズＬの上面に結像させて（ターゲット像を結像させるには、粗動つまみ２２や微動つまみ２４により保持装置支持部２８を上下動させる）、ターゲット像の実像が接眼レンズ２０２を通して見えるようにし、その後、対物レンズ２１０をコンタクトレンズＬから離れる側に移動させて（つまり、保持装置支持部２８を上方に移動させる）、ターゲット像がコンタクトレンズＬの上面に反射して結像して、ターゲット像の虚像（空中像としてもよい）が見えるようにし、実像が見える保持装置支持部２８の上下方向の高さと虚像が見える保持装置支持部２８の上下方向の高さの差の長さＷ（これが、曲率半径の値となる）を算出して、表示部３０に表示する。以上のようにして、第１球面３００の曲率半径が測定される。
【００６９】
次に、揺動支持部９０の操作つまみ１０４を操作して、コンタクトレンズ支持部１１０を左右方向スライド支持部７０（特に、垂直板部９８）に対して揺動させて、対物レンズ２１０の光軸Ｋ１が第２球面３０２の光軸Ｊ２と平行になるようにし（図８（ａ）参照）、さらに、前後方向スライド支持部５０の操作つまみ６２を操作して、左右方向スライド支持部７０及び揺動支持部９０を前後方向にスライドさせ、対物レンズ２１０の光軸Ｋ１が第２球面３０２の光軸Ｊ２とが一致するようにする。つまり、コンタクトレンズＬを内側の中心Ｐ１と外側の中心Ｐ２を通る平面により切断した断面において、第２球面３０２と第１球面３００との境界点Ｐ３と第２球面３０２と第３球面３０４の境界点Ｐ５とを結ぶ直線Ｃ２と直角となる直線で切断面と平行な直線（これが第２球面３０２の光軸Ｊ２となる）が対物レンズ２１０の光軸Ｋ１と一致するようにする。
【００７０】
すなわち、左側面視における第２球面３０２とコンタクトレンズ支持部１１０の回転中心（つまり、軸部１０７）間の距離が、第２球面３０２の曲率半径と同一とは限らず、そうすると、コンタクトレンズ支持部１１０を操作つまみ１０４を操作して回転するのみでは、対物レンズ２１０の光軸Ｋ１が第２球面３０２の光軸Ｊ２と平行にするのみでは、光軸Ｋ１と光軸Ｊ２とがずれてしまうので、前後方向スライド支持部５０によりコンタクトレンズＬを前後方向にスライドさせるのである。
【００７１】
なお、実際には、対物レンズ２１０の光軸Ｋ１と第１球面３００の光軸Ｊ１とが一致しているか否かは、以下の工程において、ターゲット像が見えるか否かで判断することになり、ターゲット像が見えない場合には、コンタクトレンズＬの向きや前後方向及び／又は左右方向の位置を調整することになる。
【００７２】
その後、上記と同様に、ターゲット像の実像が見える位置と虚像が見える位置の差を算出して、第２球面３０２の曲率半径が測定される。
【００７３】
以後は、同様にして、第３球面３０４の曲率半径を測定し、第４球面３０６の曲率半径を測定し、第５球面３０８の曲率半径を測定する。
【００７４】
以上のように、本実施例の測定装置５、特に、保持装置４０によれば、曲率半径の異なる不連続の複数の球面が内側（中心側）から外側に向けて形成された視力矯正用コンタクトレンズについて各球面の曲率半径を測定する際に、コンタクトレンズを前後方向及び左右方向にスライドさせるとともに、左右方向の中心軸を中心に揺動させることができるので、対物レンズの光軸と各球面の光軸とを容易に一致させることができ、容易に各球面の曲率半径を測定することができる。つまり、ある球面の測定が完了して次の球面を測定する際には、揺動支持部９０によりコンタクトレンズ支持部１１０を揺動させるとともに、前後方向スライド支持部５０により前後方向にスライドさせればよいので、対物レンズの光軸と各球面の光軸とを容易に一致させることができる。なお、最初に球面の測定を行なう際には、揺動支持部を前後方向及び／又は左右方向にスライドさせて、対物レンズ２１０の下方位置にコンタクトレンズＬが位置するようにする必要があるので、左右方向スライド支持部７０も必要である。
【００７５】
また、左右方向スライド支持部７０においては、コイル状バネ７６により付勢されている支持部本体７２を操作つまみ８２を回転させることによりネジ部８０を回転させて、揺動支持部９０の左右方向の位置を調整することができ、また、前後方向スライド支持部５０においては、コイル状バネ５６により付勢されている支持部本体５２を操作つまみ６２を回転させることによりネジ部６０を回転させて、左右方向スライド支持部７０の前後方向の位置を調整することができるので、前後方向及び左右方向に細かく調整することができる。また、揺動支持部９０においては、操作つまみ１０４を回転させることにより、ウォーム１０２とウォームホイール１０６とからなるウォームギアを回転させてコンタクトレンズ支持部１１０を揺動させるので、揺動する角度を細かく調整することができる。
【００７６】
なお、上記の説明では、保持装置４０は、図３に示す構成として説明したが、左右対称の構成であってもよい、その場合には、操作つまみ８２は右側面側にあり、ウォーム１０２やウォームホイール１０６は左側面側に配されることになる。この場合には、右側面側が左右方向の一方の側となる。
【実施例２】
【００７７】
また、揺動支持部９０を左右方向スライド支持部７０が左右方向にスライド可能に支持し、左右方向スライド支持部７０を前後方向スライド支持部５０が前後方向にスライド可能に支持しているが、揺動支持部９０を前後方向スライド支持部５０が前後方向にスライド可能に支持し、前後方向スライド支持部５０を左右方向スライド支持部７０が左右方向にスライド可能に支持する構成としてもよい。
【００７８】
つまり、図９に示す保持装置４０’に示すように、スライド体９４には、前後方向に一対の前後方向スライド支持部５０’の支持軸（第１支持軸）５４を挿通するために前後方向に形成された貫通穴９４ａが形成されている。
【００７９】
また、支持軸５４は、前後方向スライド支持部５０’における支持部本体（第３支持部本体）５２の本体部５２ａの前後両側の端部から立設した突状部（５２ｂ、５２ｃ）に支持されている。さらに、支持部本体（第３支持部本体）５２の本体部５２ａには左右方向スライド支持部７０’の一対の支持軸（第２支持軸）７４を挿通する貫通穴５２ａ−１が形成されている。
【００８０】
また、支持軸７４は、左右方向スライド支持部７０’における支持部本体（第４支持部本体）７２の本体部７２ａの左右両側の端部から立設した突状部（第２突状部）（７２ｂ、７２ｃ）に支持されている。さらに、左右方向スライド支持部７０’の支持部本体７２がベース部本体部４４に固定された構成となり、支持部本体（第４支持部本体）７２の本体部７２ａに形成された貫通穴は省略される。
【００８１】
なお、前後方向スライド支持部５０’の支持部本体５２には、第１操作部としての操作部５８が設けられ、操作部５８は、第１ネジ部としてのネジ部６０と、操作つまみ６２を有し、また、前後方向スライド支持部５０’には、一対の支持軸５４に設けられ、スライド体９４と支持部本体５２の突状部５２ｃ間の位置に取り付けられた第１コイル状バネとしてのコイル状バネ５６が設けられている。
【００８２】
また、左右方向スライド支持部７０’の支持部本体７２には、第２操作部としての操作部７８が設けられ、操作部７８は、第２ネジ部としてのネジ部８０と、操作つまみ８２を有し、また、左右方向スライド支持部７０’には、一対の支持軸７４に設けられ、支持部本体５２の本体部５２ａと支持部本体７２の突状部７２ｃ間の位置に取り付けられた第２コイル状バネとしてのコイル状バネ７６が設けられている。
【００８３】
上記以外の構成は、実施例１と同様の構成であり、実施例２の保持装置４０’を備えた測定装置５の使用状態は実施例１と同様であるので詳しい説明を省略する。
【００８４】
保持装置４０’が上記のように構成されていることにより、左右方向スライド支持部７０’の操作つまみ８２を回転させることにより、前後方向スライド支持部５０’及び揺動支持部９０が左右方向（つまり、水平方向における左右方向）にスライドし（つまり、操作つまみ８２を左側面視において右回転させると前後方向スライド支持部５０’及び揺動支持部９０が右側面側にスライドし、左回転させると前後方向スライド支持部５０’及び揺動支持部９０が左側面側にスライドする）、前後方向スライド支持部５０’の操作つまみ６２を回転させることにより、揺動支持部９０が前後方向（つまり、水平方向における前後方向）にスライドし（つまり、操作つまみ６２を正面視において右回転させると揺動支持部９０が背面側にスライドし、左回転させると揺動支持部９０が正面側にスライドする）、揺動支持部９０の操作つまみ１０４を回転させることにより、コンタクトレンズ支持部１１０が左右方向の回転軸を中心に揺動する。つまり、操作つまみ１０４を正面視において右回転することにより、コンタクトレンズ支持部１１０が正面側に左右方向の回転軸（軸部１０７の中心軸）を中心に正面側に回転し、左回転することにより、コンタクトレンズ支持部１１０が正面側に左右方向の回転軸（軸部１０７の中心軸）を中心に背面側に回転する。
【００８５】
本実施例の測定装置、特に、保持装置４０’によれば、曲率半径の異なる不連続の複数の球面が内側（中心側）から外側に向けて形成された視力矯正用コンタクトレンズについて各球面の曲率半径を測定する際に、コンタクトレンズを前後方向及び左右方向にスライドさせるとともに、左右方向の中心軸を中心に揺動させることができるので、対物レンズの光軸と各球面の光軸とを容易に一致させることができ、容易に各球面の曲率半径を測定することができる。
【００８６】
また、左右方向スライド支持部７０’においては、コイル状バネ７６により付勢されている支持部本体７２を操作つまみ８２を回転させることによりネジ部８０を回転させて、前後方向支持部５０’の左右方向の位置を調整することができ、また、前後方向スライド支持部５０’においては、コイル状バネ５６により付勢されている支持部本体５２を操作つまみ６２を回転させることによりネジ部６０を回転させて、揺動支持部９０の前後方向の位置を調整することができるので、前後方向及び左右方向に細かく調整することができる。また、揺動支持部９０においては、操作つまみ１０４を回転させることにより、ウォーム１０２とウォームホイール１０６とからなるウォームギアを回転させてコンタクトレンズ支持部１１０を揺動させるので、揺動する角度を細かく調整することができる。
【００８７】
なお、上記の説明では、保持装置４０’は、図９に示す構成として説明したが、左右対称の構成であってもよい、その場合には、操作つまみ８２は右側面側にあり、ウォーム１０２やウォームホイール１０６は左側面側に配されることになる。この場合には、右側面側が左右方向の一方の側となる。
【符号の説明】
【００８８】
５  測定装置
７  装置本体
１０  筐体部
２２  粗動つまみ
２４  微動つまみ
２６  筒体
２８  保持装置支持部
３０  表示部
４０、４０’  コンタクトレンズ保持装置
４２  ベース部
４４  ベース部本体部
４６  取付用部材
５０、５０’  前後方向スライド支持部
５２、７２、９２、１１２  支持部本体
５２ａ、７２ａ  本体部
５２ｂ、５２ｃ、７２ｂ、７２ｃ  突状部
５４、７４  支持軸
５８、７８  操作部
６０、８０  ネジ部
６２、８２、１０４  操作つまみ
７０、７０’  左右方向スライド支持部
９０  揺動支持部
９４  スライド体
９６  水平板部
９８  垂直板部
１００  ウォーム支持部
１０２  ウォーム
１０６  ウォームホイール
１０７  軸部
１１０  コンタクトレンズ支持部
１１４  設置板部
１１４ａ、１１９  凹部
１１８  コンタクトレンズ設置具
１１８ａ  台部
１１８ｂ  設置具本体部
【図１】
2013003172.tif 000003
【図２】
2013003172.tif 000004
【図３】
2013003172.tif 000005
【図４】
2013003172.tif 000006
【図５】
2013003172.tif 000007
【図６】
2013003172.tif 000008
【図７】
2013003172.tif 000009
【図８】
2013003172.tif 000010
【図９】
2013003172.tif 000011